(57)【要約】【課題】作業性に優れた用紙ガイド装置に関する技術を提供する。【解決手段】用紙２が挿入されるトレイ１０と、トレイ１０に固定され、用紙２の幅方向の一辺が接触してトレイ１０に用紙２を挿入する際の基準となる基準ガイド２０と、用紙２の挿入方向を案内する際に用紙２の他辺が接触する内側面を有する可動ガイド３２であって、可動ガイド３２に適合するサイズの用紙２がトレイ１０に挿入されると用紙２の両辺が基準ガイド２０の内側面と可動ガイド３２の内側面とに接触して用紙２の挿入方向を案内する第一状態を形成し、可動ガイド３２に適合するサイズより大きい用紙２がトレイ１０に挿入されると用紙２の一辺がトレイ１０の内側面に接触し、用紙２の他辺は前記内側面と接触しない位置に退避し第二状態を形成する可動ガイド３２と、を備える。【選択図】図１
2008114973.tif 000002
【特許請求の範囲】
【請求項１】
所定の機器へ搬送される用紙を載置する用紙載置部への用紙挿入方向を案内する用紙ガイド装置であって、
前記用紙載置部に固定され、前記用紙の幅方向の一辺が接触して前記用紙載置部に該用紙を挿入する際の基準となる基準ガイド部と、
前記用紙の挿入方向を案内する際に該用紙の幅方向の他辺が接触する内側面を有する可動ガイド部とを備え、
前記可動ガイド部は、所定幅の用紙が前記用紙載置部に挿入された際、前記所定幅の用紙の幅方向の他辺が該可動ガイド部の内側面に接触して前記基準ガイド部と共に前記所定幅の用紙の挿入方向を案内する第一状態と、前記所定幅の用紙よりも広い幅の用紙が前記用紙載置部に挿入された際、前記所定幅の用紙の幅方向の他辺が該可動ガイド部の内側面と接触しないよう退避する第二状態とを有し、
前記可動ガイド部が複数設けられ、前記所定幅の用紙が前記用紙載置部に挿入された場合、該所定幅の用紙に対応する一の可動ガイド部が前記第一状態を形成し、他の可動ガイド部は前記第二状態を形成して、前記所定幅の用紙の挿入方向を案内する、用紙ガイド装置。
【請求項２】
所定の機器へ搬送される用紙を載置する用紙載置部への用紙挿入方向を案内する用紙ガイド装置であって、
前記用紙載置部に固定され、前記用紙の幅方向の一辺が接触して前記用紙載置部に該用紙を挿入する際の基準となる基準ガイド部と、
前記用紙の挿入方向を案内する際に該用紙の幅方向の他辺が接触する内側面を有する一ないし複数の可動ガイド部と、
前記用紙載置部に固定され、前記基準ガイド部と該用紙の幅方向反対側の端部に設けられた側板と、を備え、
前記可動ガイド部は、所定幅の用紙が前記用紙載置部に挿入された際、前記所定幅の用紙の幅方向の他辺が該可動ガイド部の内側面に接触して前記基準ガイド部と共に前記所定幅の用紙の挿入方向を案内する第一状態と、前記所定幅の用紙よりも広い幅の用紙が前記用紙載置部に挿入された際、前記所定幅の用紙の幅方向の他辺が該可動ガイド部の内側面と接触しないよう上方向に退避する第二状態とを有し、
前記所定幅の用紙よりも広い幅の用紙であって、前記基準ガイド部と前記側板との間の距離と略等しい幅の用紙が前記用紙載置部に挿入された際、前記可動ガイド部は、前記第二状態を形成し、前記側板は、該用紙の幅方向の他辺が該側板の内側面に接触して、前記基準ガイド部と共に前記所定幅の用紙の挿入方向を案内する、用紙ガイド装置。
【請求項３】
前記可動ガイド部の上部を貫通する軸部を更に備え、
前記可動ガイド部は、前記軸部によって支持され、
前記第一状態は、前記所定幅の用紙が前記用紙載置部に挿入された際、前記可動ガイド部の自重によって該可動ガイド部の下端部と前記用紙載置部とが接することで形成され、
前記第二状態は、前記所定幅の用紙の幅よりも広い幅の用紙が前記用紙載置部に挿入された際、前記可動ガイド部の用紙の挿入方向上流側の一部が該用紙の先端によって押されることで、前記軸部周りを上方向に回動して退避することで形成される、請求項１に記載の用紙ガイド装置。
【請求項４】
前記可動ガイド部の上部を貫通する軸部を更に備え、
前記可動ガイド部は、前記軸部によって支持され、
前記第一状態は、前記所定幅の用紙が前記用紙載置部に挿入された際、前記可動ガイド部の自重によって該可動ガイド部の下端部と前記用紙載置部とが接することで形成され、
前記第二状態は、前記所定幅の用紙の幅よりも広い幅の用紙であって、前記基準ガイド
部と前記側板との間の距離と略等しい幅の用紙が前記用紙載置部に挿入された際、前記可動ガイド部の用紙の挿入方向上流側の一部が該用紙の先端によって押されることで、前記軸部周りを上方向に回動して退避することで形成される、請求項２に記載の用紙ガイド装置。
【請求項５】
前記可動ガイド部は、板状であって、前記用紙の挿入方向に沿って配置され、用紙の挿入方向上流側にテーパ部を有し、
前記用紙載置部は、前記可動ガイド部が前記第一状態である場合において、該可動ガイド部の下端部を受け入れる溝状の凹部を有する、請求項３又は請求項４に記載の用紙ガイド装置。
【請求項６】
前記可動ガイド部が前記第一又は第二状態であるか否かを検出する可動ガイド部状態検出手段を更に備える、請求項１から請求項５のいずれかに記載の用紙ガイド装置。
【請求項７】
前記可動ガイド部状態検出手段の検出結果に基づいて、前記用紙載置部に挿入された用紙のサイズを判断する用紙サイズ判断手段を更に備える、請求項６に記載の用紙ガイド装置。
【請求項８】
前記可動ガイド部は、前記軸部と着脱可能に接続するための着脱部を有する、請求項３又は請求項４に記載の用紙ガイド装置。
【請求項９】
前記可動ガイド部は、用紙の挿入方向上流側に前記基準ガイド部との間隔が前記用紙載置部に挿入される用紙の幅よりも広く形成される幅広部を有し、該幅広部から用紙の挿入方向下流側にかけての一部に前記基準ガイド部との間隔が徐々に狭められることで前記用紙を用紙の挿入方向へ誘導する誘導部を有する、請求項１から請求項８のいずれかに記載の用紙ガイド装置。
【請求項１０】
前記所定の機器には、ラミネータが含まれる、請求項１から請求項９のいずれかに記載の用紙ガイド装置。
【発明の詳細な説明】
【技術分野】
【０００１】
本発明は、所定の機器へ搬送される用紙を載置する用紙載置部への用紙挿入方向を案内する用紙ガイド装置の技術に関する。
【背景技術】
【０００２】
プリンタやコピー機などの機器には、搬送される用紙を正しい位置に案内するためのガイドが設けられている。用紙には様々なサイズがあることから、サイズが異なる用紙を正しい位置に案内するための技術として、ガイドをスライドさせるものが知られている（例えば、特許文献１参照）。特許文献１に記載の技術によれば、ガイドがスライドするのでサイズ（幅寸法）が異なる用紙に対応でき、また、スライドは段階的に行われるので用紙の幅寸法を容易に設定することができる。
【特許文献１】特開平３−２９３１７７号公報
【特許文献２】特開２００４−１４９２８５号公報
【特許文献３】特開平１−１４８５７５号公報
【特許文献４】特開平４−１４０２５５号公報
【発明の開示】
【発明が解決しようとする課題】
【０００３】
スライド式のガイド装置によれば、プリンタやコピー機などの機器に搬送される用紙を正しい位置に案内することができる。また、例えば目盛りが付されている目盛り付きガイド装置によれば、用紙の幅寸法に合った目盛り位置にガイドをスライドさせることで、正しい位置に用紙を案内することができる。また、段階的にスライド可能な段階調整付きガイド装置によれば、ガイドの位置の調整を容易に行うことができる。
【０００４】
しかし、上記のようなガイド装置においても、サイズが異なる用紙を用いる場合、ガイドの用紙幅の設定を行うといった動作は共通の作業として必ず必要となり、作業効率の低下を招く。また、比較的少ない枚数をプリンタやコピー機などの機器に搬送する場合であって、その搬送する用紙の寸法が異なる場合には、その都度ガイドの用紙幅の設定を行うといった動作が必要となり煩わしさに耐えない。更に、上記のようなガイド装置では、挿入時に用紙が斜行したり蛇行したりしないよう、ガイド自体の幅方向の動きがある程度抑制された機構が要求される。しかし、従来の技術は、大掛かりな機構によるものが多く、部品点数を少なくした簡易な構成としつつ、幅方向の動きも十分に抑制しうる機構が望まれていた。
【０００５】
本発明は、上記問題に鑑みてなされたものであり、サイズの異なる用紙を用いる場合において、簡易な構成であって、ガイドの用紙幅の設定を行う動作を従来より減らすことでより作業性に優れた用紙ガイド装置に関する技術を提供することを課題とする。
【課題を解決するための手段】
【０００６】
本発明では、上記の課題を解決するため、以下の手段を採用した。すなわち、本発明は、所定の機器へ搬送される用紙を載置する用紙載置部への用紙挿入方向を案内する用紙ガイド装置であって、前記用紙載置部に固定され、前記用紙の幅方向の一辺が接触して前記用紙載置部に該用紙を挿入する際の基準となる基準ガイド部と、前記用紙の挿入方向を案内する際に該用紙の幅方向の他辺が接触する内側面を有する可動ガイド部とを備え、前記可動ガイド部は、所定幅の用紙が前記用紙載置部に挿入された際、前記所定幅の用紙の幅方向の他辺が該可動ガイド部の内側面に接触して前記基準ガイド部と共に前記所定幅の用紙の挿入方向を案内する第一状態と、前記所定幅の用紙よりも広い幅の用紙が前記用紙載
置部に挿入された際、前記所定幅の用紙の幅方向の他辺が該可動ガイド部の内側面と接触しないよう退避する第二状態とを有し、前記可動ガイド部が複数設けられ、前記所定幅の用紙が前記用紙載置部に挿入された場合、該所定幅の用紙に対応する一の可動ガイド部が前記第一状態を形成し、他の可動ガイド部は前記第二状態を形成して、前記所定幅の用紙の挿入方向を案内するものである。
【０００７】
本発明によれば、用紙を用紙載置部に挿入する際の基準となる固定された基準ガイド部と、所定幅の用紙が挿入された場合にのみガイド機能を発揮する可動ガイド部を備えることで、サイズが異なる用紙を用いる場合であっても、その都度ガイドの用紙幅の設定を行うことなく、プリンタやコピー機などの所定の機器に搬送される用紙を正しい位置に案内することができる。また、用紙変更時の用紙幅方向へのガイドの移動を必要としないので、幅方向の不正確な位置にガイドを位置決めすることに起因する、用紙搬送時のジャミング(紙詰まり)等も防止できる。
【０００８】
ここで、本発明に係る用紙ガイド装置は、所定の機器へ搬送される用紙を載置する用紙載置部への用紙挿入方向を案内するものであり、所定の機器には、プリンタ、コピー機、ファックス、スキャナ、ラベルライタ、ラミネータ、スタンプ作成機等が含まれる。なお、これらは例示に過ぎず、本発明に係る用紙ガイド装置は、用紙の搬送を必要とする機器であれば様々な機器に適用することができる。
【０００９】
用紙載置部は、所定の機器へ搬送される用紙を載置する。用紙載置部には、自動給紙を前提とするカセット状のもの、手動（手差し）給紙を前提とする板状のものが含まれる。また、本発明に係る用紙載置部は、用紙が上流側（所定の機器へ搬送される用紙の搬送方向における上流側）から挿入されることで載置されるものであり、これは自動給紙、手動給紙のいずれにおいても同じである。そして、上流側から挿入されて用紙載置部に載置された用紙は、所定の機器へ適宜搬送される。なお、本発明に係る用紙載置部では、例えば、一枚の用紙を手差し挿入した場合において、この挿入動作に連続して用紙が所定の機器内へ搬送されるものも含まれる。
【００１０】
基準ガイド部は、例えば細長状のプレート等、直線部分を有する部材を用紙載置部の幅方向の端部に用紙挿入方向と平行に固定することで形成することができる。このように基準ガイド部は、用紙載置部に固定されているので、用紙載置部に挿入される用紙の幅方向における一方の動きを規制することができる。
【００１１】
可動ガイド部は、基準ガイド部と異なり、可動するものであり、挿入される用紙幅に応じて、ガイドとして機能する第一状態と、ガイドとしての機能を発揮しない第二状態に適宜移行する。すなわち、第一状態では、所定幅の用紙が用紙載置部に挿入されると、所定幅の用紙の一辺は基準ガイド部の内側面と接触し、所定幅の用紙の他辺は可動ガイド部の内側面と接触する。その結果、基準ガイド部と可動ガイド部との間に挿入された所定幅の用紙は幅方向の両辺がそれぞれ基準ガイド部の内側面と可動ガイド部の内側面に接触しながら用紙の挿入方向へ導かれる。
【００１２】
一方、第二状態では、可動ガイド部は、所定幅用紙の幅方向の他辺が可動ガイド部の内側面と接触しない位置まで退避する。したがって、所定幅の用紙の幅方向の一辺は基準ガイド部の内側面と接触するものの、他辺が第一状態と異なり可動ガイド部の内側面と接触しないので、当該可動ガイド部はガイドとしての機能を発揮しない第二の状態となる。
【００１３】
なお、案内する各々の可動ガイド部の幅方向における位置は、用紙の幅寸法に基づいて適宜設定することができる。用紙の幅寸法は、写真サイズ、はがきサイズ、Ａ４、Ａ３等、定型用紙の種類に基づいて設定することができ、更にそれぞれを縦置きで挿入する場合
、横置きに挿入する場合で区別することができる。したがって、一の可動ガイド部が案内可能な用紙は、いずれかのサイズの用紙に特定されるものであり、所定幅の用紙とは、本発明に係る用紙ガイド装置によって用紙挿入方向を案内可能な用紙のうち、一の可動ガイド部が用紙挿入方向を案内可能な用紙として定義することができる。換言すると、所定幅の用紙は、基準ガイド部の内側面と一の可動ガイド部の内側面との間の距離と略等しい幅の用紙である。
【００１４】
また、本発明は、所定の機器へ搬送される用紙を載置する用紙載置部への用紙挿入方向を案内する用紙ガイド装置であって、前記用紙載置部に固定され、前記用紙の幅方向の一辺が接触して前記用紙載置部に該用紙を挿入する際の基準となる基準ガイド部と、前記用紙の挿入方向を案内する際に該用紙の幅方向の他辺が接触する内側面を有する可動ガイド部と、前記用紙載置部に固定され、前記基準ガイド部と該用紙の幅方向反対側の端部に設けられた側板と、を備え、前記可動ガイド部は、所定幅の用紙が前記用紙載置部に挿入された際、前記所定幅の用紙の幅方向の他辺が該可動ガイド部の内側面に接触して前記基準ガイド部と共に前記所定幅の用紙の挿入方向を案内する第一状態と、前記所定幅の用紙よりも広い幅の用紙が前記用紙載置部に挿入された際、前記所定幅の用紙の幅方向の他辺が該可動ガイド部の内側面と接触しないよう退避する第二状態とを有し、前記所定幅の用紙よりも広い幅の用紙であって、前記基準ガイド部と前記側板との間の距離と略等しい幅の用紙が前記用紙載置部に挿入された際、前記可動ガイド部は、前記第二状態を形成し、前記側板は、該用紙の幅方向の他辺が該側板の内側面に接触して、前記基準ガイド部と共に前記所定幅の用紙の挿入方向を案内するものである。
【００１５】
本発明によれば、上記のような側板を備えることで、基準ガイド部と側板との間の距離と略等しい幅の用紙が前記用紙載置部に挿入された場合、用紙の幅方向の他辺が側板の内側面に接触して、前記基準ガイド部と共に前記所定幅の用紙の挿入方向を案内することができる。なお、基準ガイド部と側板との間の距離は、本発明に係る用紙ガイド装置で用いることができる最大用紙幅として設定すればよい。また、可動ガイド部は、複数設けてもよく、これにより最大用紙幅よりも狭い所定幅の用紙が挿入された場合は、一の可動ガイド部と基準ガイド部によって所定幅の用紙が案内され、最大用紙幅の用紙が挿入された場合は、側板と基準ガイド部によって用紙が案内される。これにより、サイズが異なる用紙を用いる場合であっても、その都度ガイドの用紙幅の設定を行うことなく、プリンタやコピー機などの所定の機器に搬送される用紙を正しい位置に案内することができる。また、用紙変更時の用紙幅方向へのガイドの移動を必要としないので、幅方向の不正確な位置にガイドを位置決めすることに起因する、用紙搬送時のジャミング等も防止できる。
【００１６】
また、本発明に係る用紙ガイド装置は、前記可動ガイド部の上部を貫通する軸部を更に備え、前記可動ガイド部は、前記軸部によって支持され、前記第一状態は、前記所定幅の用紙が前記用紙載置部に挿入された際、前記可動ガイド部の自重によって該可動ガイド部の下端部と前記用紙載置部とが接することで形成され、前記第二状態は、前記所定幅の用紙よりも広い幅の用紙が前記用紙載置部に挿入された際、前記可動ガイド部の用紙の挿入方向上流側の一部が該用紙の先端によって押されることで、前記軸部周りを上方向に回動して退避することで形成されるようにしてもよい。
【００１７】
軸部を設け、この軸部を可動ガイド部の上部に貫通させることで、可動ガイド部を回動自在に保持することが可能となる。軸部は、用紙の搬送方向と直交するように設け、可動ガイド部は、幅方向への動きが規制されるように保持部と接続することが好ましい。これにより、所定の用紙幅の用紙より大きい用紙が用紙載置部に挿入された場合、可動ガイド部は軸部周りの可動しか許容されていないので、可動ガイド部の用紙の挿入方向上流側の一部が用紙の先端に押されて軸部周りを回動して退避して第二状態を形成する。すなわち、所定幅の用紙よりも大きい用紙が挿入された場合、この用紙は可動ガイド部の下を通過
することになる。一方、用紙の先端によって可動ガイド部が押されない場合、すなわち所定幅の用紙が用紙載置部に挿入された場合には、可動ガイド部は、可動ガイド部自身の自重によって第一状態を形成し、かつ、軸部との摩擦力により幅方向の動きが規制されるので、用紙が可動ガイド部と基準ガイド部との間をそれぞれの内側面に接触しながら通過することになる。なお、第二状態から第一状態への移行は、可動ガイド部の自重によって自動的に行われるので、この点からも本発明に係る用紙ガイド装置は、簡易な構成であると言える。
【００１８】
なお、軸部の位置は、特に限定されるものではない。可動ガイド部の用紙の挿入方向上流側に設けることで、用紙の挿入方向の流れに沿うように可動ガイド部が上方向へ持ち上がることになり用紙の流れがスムーズとなる。また、軸部を用紙の挿入方向下流側に設ける場合には、例えば軸部の上方にカバーを設けて軸部を覆うことができ、用紙ガイド装置の全体としての美観をより優れたものとすることができる。
【００１９】
また、本発明は、前記可動ガイド部の上部を貫通する軸部を更に備え、前記可動ガイド部は、前記軸部によって支持され、前記第一状態は、前記所定幅の用紙が前記用紙載置部に挿入された際、前記可動ガイド部の自重によって該可動ガイド部の下端部と前記用紙載置部とが接することで形成され、前記第二状態は、前記所定幅の用紙の幅よりも広い幅の用紙であって、前記基準ガイド部と前記側板との間の距離と略等しい幅の用紙が前記用紙載置部に挿入された際、前記可動ガイド部の用紙の挿入方向上流側の一部が該用紙の先端によって押されることで、前記軸部周りを上方向に回動して退避することで形成されるようにしてもよい。
【００２０】
本発明によれば、所定幅の用紙の幅よりも広い幅の用紙であって、基準ガイド部と側板との間の距離と略等しい幅の用紙が前記用紙載置部に挿入された際、可動ガイド部が第二状態を形成するので、可動ガイド部を取り外すことなく用紙を案内することができる。
【００２１】
また、本発明に係る用紙ガイド装置において、前記可動ガイド部は、板状であって、前記用紙の挿入方向に沿って配置され、用紙の挿入方向上流側にテーパ部を有し、前記用紙載置部は、前記可動ガイド部が前記第一状態である場合において、該可動ガイド部の下端部を受け入れる溝状の凹部を有するようにしてもよい。
【００２２】
用紙載置部に可動ガイド部の下端部を受け入れる溝状の凹部を設けることで、該可動ガイド部が第一状態にある場合、可動ガイド部の設計誤差等により用紙載置部と可動ガイド部の下端部との間に隙間が生じることがあったとしても、当該溝部に下端部が落ち込むことにより、用紙が入り込むことを防止できる。さらに、第一状態における可動ガイド部の幅方向への動きをより安定的に規制することができ、その結果用紙を正しい位置へ正確に案内することができる。また、可動ガイド部の用紙の挿入方向上流側にテーパ部を設けることで、可動ガイド部に適合する用紙より大きいサイズの用紙が用紙載置部に挿入された際、用紙が可動ガイド部の下へスムーズに入り易くなり、その結果、用紙の挿入方向への動きがスムーズに行われることになる。
【００２３】
また、本発明に係る用紙ガイド装置は、前記可動ガイド部が前記第一状態又は第二状態であるか否かを検出する可動ガイド部状態検出手段を更に備える構成とすることができる。また、本発明に係る用紙ガイド装置は、前記可動ガイド部状態検出手段の検出結果に基づいて、前記用紙載置部に挿入された用紙のサイズを判断する用紙サイズ判断手段を更に備える構成とすることができる。
【００２４】
本発明においては、可動ガイド部の下端部が用紙載置部に接触している場合、可動ガイド部が第一状態を形成し、この第一状態では可動ガイド部に適合するサイズの用紙が挿入
されていることになる。したがって、まず、可動ガイド部の下端部が用紙載置部に接触しているか否かを検出することで可動ガイド部が第一状態であるか又は第二状態であるか否かを検出することが可能となる。そして、第一状態又は第二状態であるか否かの情報を検出することができれば、この情報に基づいて用紙載置部に挿入された用紙のサイズを判断することが可能となる。
【００２５】
また、本発明に係る用紙ガイド装置において、前記可動ガイド部は、前記軸部と着脱可能に接続するための着脱部を有するようにしてもよい。着脱部には、例えばフックが例示できる。本発明に係る用紙ガイド装置が適用されるプリンタ、コピー機等を含む所定の機器は、設置される環境によって用いられる用紙の頻度も異なるものである。したがって、可動ガイド部を着脱可能とすることで、使用頻度の高い用紙に対応する可動ガイド部のみを装着することが可能となり、より作業性に優れた用紙ガイド装置とすることができる。
【００２６】
また、本発明に係る用紙ガイド装置において、前記可動ガイド部は、用紙の挿入方向上流側に前記基準ガイド部との間隔が前記用紙載置部に挿入される用紙の幅よりも広く形成される幅広部を有し、該幅広部から用紙の挿入方向下流側にかけての一部に前記基準ガイド部との間隔が徐々に狭められることで前記用紙を搬送方向へ誘導する誘導部を有するようにしてもよい。
【００２７】
基準ガイド部と可動ガイド部との間隔を用紙の挿入方向上流側において広く、すなわち間口を広くすることで用紙載置部への用紙の挿入がより容易となる。また、用紙載置部に挿入される用紙の幅よりも広く形成された幅広部と挿入される用紙の幅に合わせて形成された部分との間に基準ガイド部との間隔が徐々に狭められるように形成される誘導部を設けることで用紙載置部に挿入された用紙を用紙の挿入方向へスムーズに誘導することができる。
【００２８】
また、本発明に係る用紙ガイド装置において、前記所定の機器は、ラミネータとすることができる。ラミネータにおいては、ラミネートする用紙がコピー機やプリンタなどに用いられる用紙に比べて幅の狭いものが多い。そして、このように比較的幅の狭い用紙をラミネートする場合、ラミネート紙に対する用紙の少しのずれがラミネート後の状態に大きく影響してくる。したがって、ラミネータでは、正しい位置に用紙を挿入することが求められる。また、ラミネータ自体がコピー機等に比べて小さいことから、これに接続する用紙ガイド装置もコンパクトかつ簡易な構成であることが求められる。上述した本発明に係る用紙ガイド装置は、構成自体が複雑なものではなく、装置自体の大きさを小さくすることも容易である。したがって、本発明に係る用紙ガイド装置は、ラミネータにも好適に用いることができる。
【発明の効果】
【００２９】
本発明によれば、サイズの異なる用紙を用いる場合において、簡易な構成であって、ガイドの用紙幅の設定を行う動作を従来より減らすことでより作業性に優れた用紙ガイド装置に関する技術を提供することができる。
【発明を実施するための最良の形態】
【００３０】
次に、本発明に係る用紙ガイド装置の実施形態について図面に基づいて説明する。
【００３１】
（第一実施形態）
＜構成＞
図１は、第一の実施形態に係る用紙ガイド装置１を示す斜視図である。同図に示すように第一の実施形態に係る用紙ガイド装置１は、用紙２を挿入するトレイ１０（本発明における用紙載置部に相当する。）と、トレイ１０の幅方向端部に設けられた基準ガイド２０
（本発明における基準ガイド部に相当する。）と、基準ガイド２０と所定の間隔をもって平行に設けられた可動ガイド３１、３２（本発明における可動ガイド部に相当する。）と、基準ガイド２０が設けられたトレイ１０の反対側の端部に設けられた側板４０と、可動ガイド３１、３２を回動自在に支持する支持シャフト５０（本発明における軸部に相当する。）と、を備える。
【００３２】
第一の実施形態に係る用紙ガイド装置１は、例えば、図２に示すようにプリンタ本体１００の側面に装着することができる。トレイ１０に挿入された用紙２は、プリンタ本体１００に搬送されて印字処理が施されて出力される。そして、用紙２は、プリンタ本体１００に搬送される際、基準ガイド２０と可動ガイド３１又は３２によってその向きが正しく調整された上でプリンタ本体１００に搬送される。なお、図２はあくまで例示であって、本実施形態に係る用紙ガイド装置１が装着可能な機器はこれに限定されるわけではない。コピー機、ファックス、スキャナ、ラベルライタ、ラミネータ等、用紙の搬送を必要とする機器であれば様々な機器に適用することができる。
【００３３】
トレイ１０には、プリンタ等の所定の機器によって印字処理が施される用紙２が挿入される。トレイ１０の大きさ、材質は、特に限定されるわけではなく、用紙２の種類や機器の用途に応じて適宜設計することができる。なお、用紙には、写真Ｅサイズ縦（幅寸法８２ｍｍ）、写真Ｌサイズ縦（幅寸法８９ｍｍ）、郵便はがき縦（幅寸法１００ｍｍ）、写真Ｅサイズ横（幅寸法１１５ｍｍ）、写真キャビネ縦（幅寸法１２０ｍｍ）、写真Ｌサイズ横（幅寸法１２９ｍｍ）、Ａ５縦（幅寸法１４８ｍｍ）、Ｂ５縦（幅寸法１８２ｍｍ）、Ａ４縦（幅寸法２１０ｍｍ）等が例示できる。
【００３４】
基準ガイド２０は、用紙２をトレイ１０に挿入する際の基準として機能する。本実施形態では、基準ガイド２０として細長状のプレートを用い、このような基準ガイド２０がトレイ１０の端部の表面から立ち上げられるように固定されている。これにより、用紙２をトレイ１０へ挿入する際、用紙２の幅方向の一方の動きが規制される。なお、基準ガイド２０の用紙２の挿入方向（以下、挿入方向という。）の長さは、トレイ１０の挿入方向における長さと合わせることが好ましく、これにより基準ガイドとしての機能が十分に発揮される。また、基準ガイド２０の高さは、挿入する用紙２の許容枚数に応じて適宜設定すればよい。
【００３５】
次に可動ガイド３１、３２について図３から図６を更に交えて説明する。図３は第一の実施形態に係る用紙ガイド装置１の上面図であり、図４は、図３におけるＡ―Ａ断面図である。また、図５は、第一の実施形態に係る用紙ガイド装置１の上面図であり、図６は、図５におけるＡ―Ａ断面図である。可動ガイド３１、３２は、基準ガイド２０と異なり支持シャフト５０に回動可能に接続され、可動ガイド３１又は３２に適合する用紙２（本発明における所定幅の用紙）がトレイ１０に挿入された場合のみガイドとしての機能を発揮する。本実施形態では、適合する用紙として、可動ガイド３２に適合する用紙２が挿入されており、用紙２が挿入されると、可動ガイド３１は退避し（本発明における第二状態に相当する。）、可動ガイド３２が用紙２を基準ガイド２０と共に案内する（本発明における第一状態に相当する。）ことになる。
【００３６】
図３、図５に示すように、本実施形態では、可動ガイドが二つ（可動ガイド３１、３２）設けられている。基準ガイド２０から可動ガイド３１、３２までの距離は、挿入される用紙２の幅寸法に基づいて予め適宜設定することができ、本実施形態のようにガイドを二つ設ける場合、例えば、可動ガイド３１を写真Ｅサイズ縦用とし、可動ガイド３２をＡ５縦用とすることができる。なお、基準ガイド２０から側板４０までの距離は、本実施形態に係る用紙ガイド装置１が接続されるプリンタ１００の印刷可能な最大用紙幅に合わせればよい。また、本実施形態では、ガイドが二つ設けられているが、これに限定されるわけ
ではなく、ガイドの数や組み合わせは用途に応じて適宜変更することができる。
【００３７】
可動ガイド３１、３２は、プレート状であり、挿入方向上流側の下部（図４における紙面左側下部）にテーパ部３５が設けられている。このテーパ部３５は、挿入方向上流側の下方に空間が形成されかつ、その高さが最も短くなるように形成され、挿入方向下流側に向かってその高さが徐々に高くなり、挿入方向中央付近から挿入方向下流側の端部においては下端部３７が第一状態においてトレイ１０の溝状の凹部２１の底面と接するように形成されている（図４参照）。更に、可動ガイド３１は、挿入方向上流側の上部に支持シャフト５０を挿入するための貫通孔３６が設けられている。
【００３８】
可動ガイド３１（３２）は、貫通孔３６に挿入される支持シャフト５０によって支持され、通常の状態では、可動ガイド３１（３２）の自重により可動ガイド３１（３２）の下端部３７がトレイ１０と接する状態を維持する（図４参照）。なお、この状態が本発明における第一状態である。また、可動ガイド３１（３２）は、用紙２の挿入方向における先端がテーパ部３５と接するとその後用紙２の挿入と共に徐々に支持シャフト５０を回動軸とする反時計回りに回転して上方に持ち上げられ、最終的にはトレイ１０の表面高さまで上方に持ち上げられる（図６参照）。なお、この状態が本発明における第二状態である。
【００３９】
可動ガイド３１、３２は、用紙幅方向への移動が規制されるように支持シャフト５０に接続されていればよい。すなわち、可動ガイド３１、３２と支持シャフト５０との接続方法は、特に限定されるわけではないが、例えば、支持シャフト５０との摩擦力により可動ガイド３１、３２の用紙幅方向への移動を規制して接続することができる。摩擦力によって可動ガイド３１、３２の用紙幅方向への移動を規制する例としては、支持シャフト５０に環状の凹部を形成し、可動ガイド３１、３２の貫通孔３６の内側面に環状の溝に勘合可能な環状の凸部を設けて、これらを勘合する構成が例示できる。
【００４０】
本実施形態に係る用紙ガイド装置１は、上述したトレイ１０の表面であって、可動ガイド３１、３２の下方に溝状の凹部２１、２２を有する。溝状の凹部２１、２２は、可動ガイド３１、３２を受け入れることができる程度に溝幅が可動ガイド３１、３２の幅よりも若干大きく形成されている。また、溝状の凹部２１、２２の深さは、第一状態における可動ガイド３１、３２の幅方向の動きを規制できる程度の値として適宜設定することができる。
【００４１】
また、本実施形態に係る用紙ガイド装置１は、上記溝状の凹部２１、２２にセンサ６０（本発明における可動ガイド部状態検出手段に相当する。）を有する。センサ６０は、可動ガイド３１、３２が溝状の凹部２１、２２に接しているか否かを検出する。例えば図５における用紙ガイド装置１において、可動ガイド３１が写真Ｅサイズ縦用、可動ガイド３２がＡ５サイズ縦用として設定されている場合には、溝状の凹部２１に設けられているセンサ６０は、可動ガイド３１が溝状の凹部２１と非接触状態（本発明における第二状態）であることを検出し、溝状の凹部２２に設けられているセンサ６０は、可動ガイド３２が溝状の凹部２２と接触状態（本発明における第一状態）であることを検出する。それぞれのセンサ６０によって検出された情報は、例えば用紙ガイド装置１が接続されるプリンタ１００の制御装置７０（本発明における用紙サイズ判断手段に相当する。）に送信される。そして、制御装置７０は、可動ガイド３１が第二状態、可動ガイド３２が第一状態であることからＡ５サイズ縦が挿入されていると判断することができる。
【００４２】
図７は、センサと制御装置の接続構成を示す概略図である。同図に示すように、用紙ガイド装置１に設けられたセンサ６０とプリンタ装置１００に設けれた制御装置７０とは電気的に接続されており、制御装置７０は、ＣＰＵ等からなる処理部７１と記憶部７２とを有している。記憶部７２には、処理部７１が実行する処理を実現するためのプログラムや
各センサ出力と用紙サイズとの関係を定めた用紙サイズテーブル７３等を記憶することが可能である。処理部７１は、センサ６０によって検出された情報に基づいて用紙サイズを判断することができる。なお、可動ガイド３１、３２の設定情報（可動ガイドが対応する用紙サイズの情報）や各可動ガイドの状態の組み合わせに基づく用紙情報（例えば、可動ガイド３１が第二（ＯＦＦ）状態、可動ガイド３２が第一（ＯＮ）状態である場合、トレイ１０に挿入される用紙サイズはＡ５サイズ縦であるとする情報）を予めテーブル化しておくことで、制御装置は、これらの情報に基づいて容易に用紙サイズを判断することが可能となる。図８は、テーブルの一例を示す。同図に示すテーブルを予め記憶部７２に格納しておくことで、可動ガイド３１が第二（ＯＦＦ）状態、可動ガイド３２が第一（ＯＮ）状態である場合は、用紙サイズがＡ５であることを即座に判断することが可能となる。
【００４３】
＜使用方法＞
次に第一の実施形態に係る用紙ガイド装置１の使用方法について図面に基づいて説明する。なお、以下の説明においては、可動ガイド３１が写真Ｅサイズ縦用、可動ガイド３２がＡ５サイズ縦用として設定されているものとして説明する。
【００４４】
まず、必要枚数の用紙２（Ａ５サイズ縦）をトレイ１０へ挿入する。用紙２の一端（紙面右側）を基準ガイド２０の内側に接触するように挿入する（図３参照）。なお、この時点では、可動ガイド３１、３２が共に第一状態となっている。
【００４５】
次に、トレイ１０へ挿入された用紙２を基準ガイド２０との接触状態を維持したまま挿入方向（紙面上側）にユーザの手によって搬送する（図５参照）。すると、図６に示すように、用紙２の挿入方向の先端が可動ガイド３１のテーパ部３５に接触し、支持シャフト５０を軸として可動ガイド３１は、下端部３７がトレイ１０の表面高さに達するまで上方に持ち上げられ、用紙２は可動ガイド３１の下方を通過する。すなわち、可動ガイド３１は第二状態となっている。この時、可動ガイド３２については、可動ガイド３２の内側面に用紙２の端部（紙面左側）が接触していることになる。すなわち、可動ガイド３２は第一状態となっている。したがって、用紙２は、両端がそれぞれ基準ガイド２０の内側面と可動ガイド３２の内側面に接触した状態を維持したまま挿入方向へ進むことなる。すなわち、向きが正しく調整された上で接続される機器に搬送されることになる。
【００４６】
次に、続けてＡ５サイズ縦よりもサイズが小さい写真Ｅサイズ縦を印刷したい場合には、上記と同じ要領でＡ５サイズ縦からなる用紙２を必要枚数トレイ１０に挿入する。そして、上記と同じく用紙２（写真Ｅサイズ縦）を基準ガイド２０の内側面に接触させながら挿入方向へユーザの手によって搬送する。すると、用紙２は、両端がそれぞれ基準ガイド２０の内側面と可動ガイド３１の内側面に接触した状態を維持したまま挿入方向へ進むことなる。すなわち、可動ガイド３２は第一状態となり、用紙２の向きが正しく調整された上で接続される機器に搬送されることになる。このように、本実施形態に係る用紙ガイド装置１によれば、可動ガイド３１、３２の位置を変更することなく異なるサイズの用紙を搬送することができる。
【００４７】
以上説明した第一の実施形態に係る用紙ガイド装置１によれば、可動ガイド３１、３２は所定の用紙幅に対応した位置にあって、幅方向には移動を規制しつつ上下（回転）方向には移動可能となっているので、それぞれ適合する用紙２がトレイ１０へ挿入された場合にのみガイドとして機能し、用紙のサイズが変わっても、その都度ガイドの位置を用紙幅方向に調整せずに機器へ搬送される用紙を正しい位置に案内することができる。したがって、用紙変更時の用紙幅方向へのガイドの移動を必要としないので、作業性をより向上させることができるとともに、幅方向のガイドの位置がより正しい位置へ位置決めができ、これにより用紙搬送時のジャミングを防止できる。なお、本実施形態に係る用紙ガイド装置１は、異なるサイズの用紙を交互に印刷するような場合に特に適していることから、従
来のプリンタやコピー機における手差しトレイ等、比較的搬送枚数の少ないものに好適に適用することができる。
【００４８】
また、上述した第一の実施形態に係る用紙ガイド装置１は、トレイ１０、基準ガイド２０、可動ガイド３１、３２、側板４０、支持シャフト５０といった少ない部品点数により構成されている。また、可動ガイド３１、３２の支持は、貫通孔３６に支持シャフト５０を貫通させるといった簡易な構成によって実現されている。更に、可動ガイド３１、３２における第一状態と第二状態との間の移行は、可動ガイド３１、３２の自重を利用して、可動ガイド３１、３２が支持シャフト４０の軸周りを回転することで実現されるものである。しかも可動ガイド３１，３２は第一の状態では幅方向への移動を規制している。このように第一の実施形態に係る用紙ガイド装置１は、簡易な構成であると共に上述した作業性をより向上させることができるといった効果を奏している。
【００４９】
（第二実施形態）
次に第二の実施形態に係る用紙ガイド装置１ａについて図面に基づいて説明する。なお、以下の説明については、上述した第一の実施形態に係る用紙ガイド装置１との相違点を中心に説明するものとし、第一の実施形態に係る用紙ガイド装置１と同一の構成については、同一符号を付すことでその詳細な説明を省略するものとする。図９は、第二の実施形態に係る用紙ガイド装置１ａの上面図であり、図１０は、図９におけるＡ―Ａ断面図である。また、図１１は、第二の実施形態に係る用紙ガイド装置１ａの上面図であり、図１２は、図１１におけるＡ―Ａ断面図である。
【００５０】
＜構成＞
第二の実施形態に係る用紙ガイド装置１ａは、その構成が基本的には前述した第一の実施形態に係る用紙ガイド装置と同じであり、可動ガイド３１ａが幅広部３１ａ１と誘導部３１ａ２を有する点で異なる。なお、可動ガイド３２ａは、可動ガイド３１ａと同様の構成であるので、以下可動ガイド３１ａを例に説明する。
【００５１】
図９に示すように、第二の実施形態に係る可動ガイド部３１ａは、挿入方向上流側に幅広部３１ａ１を有し、挿入方向のほぼ中心付近に誘導部３１ａ２を有する。幅広部３１ａ１は、基準ガイド２０からの距離が挿入方向下流側よりも広く形成されている。すなわち、本実施形態に係る用紙ガイド装置１ａは、間口が広く形成されているのでトレイ１０ａへの挿入がより容易となる。
【００５２】
誘導部３１ａ２は、幅広部３１ａ１において広く形成された基準ガイド部２０との距離を徐々に狭めるように形成されている。これにより、例えば用紙２が図９のように基準ガイド２０と離れてトレイ１０ａに挿入された場合であっても、誘導部３２ａ２によって用紙は、徐々に基準ガイド２０側に誘導され、トレイ１０ａへの挿入が容易となる。
【００５３】
なお、溝状の凹部２１ａも上面視における形状を可動ガイド部３１ａと同じようにすることが好ましい。また、本実施形態では、可動ガイド部３１ａに幅広部３１ａ１と誘導部３１ａ２を設けることとしたが、例えば誘導部３１ａ２のみを設けてもよい。
【００５４】
＜使用方法＞
次に第二の実施形態に係る用紙ガイド装置１ａの使用方法について説明する。なお、以下の説明においては、第一の実施形態と同じく、可動ガイド３１ａが写真Ｅサイズ縦用、可動ガイド３２ａがＡ５サイズ縦用として設定されているものとする。
【００５５】
第一の実施形態に係る用紙ガイド装置１では、用紙２の一辺を常に基準ガイド２０に接触させるように用紙２をトレイ１０へ挿入した。しかし、第二の実施形態に係る用紙ガイ
ド装置１ａは、幅広部３２ａ１と誘導部３２ａ２を有することから、予め基準ガイド２０へ接触させておかなくても、誘導部３２ａ２によって用紙２が基準ガイド２０側に導かれ、最終的には用紙２の幅方向両辺がそれぞれ基準ガイド２０とガイド２２ａに接触する。その後は、用紙２の幅方向両辺がそれぞれ基準ガイド２０とガイド２２ａに接触状態を維持したまま搬送方向へ進むことになるので、向きが正しく調整された上で用紙２が接続される機器に搬送されることになる（図１１参照）。このように、第二の実施形態に係る用紙ガイド装置１ａによれば、用紙２を予め基準ガイド２０に接触させておかなくても、第一の実施形態に係る用紙ガイド装置１と同じく可動ガイドの位置を変更することなく異なるサイズの用紙を搬送することができる。
【００５６】
以上説明したように、第二の実施形態に係る用紙ガイド装置１ａによれば、その都度ガイドの位置を調整しなくても機器へ搬送される用紙を正しい位置に案内することができる。また、幅広部３２ａ１と誘導部３２ａ２を有することから、トレイ１０ａへの用紙２の挿入をより容易に行うことができ作業性が向上する。更に、第二の実施形態に係る用紙ガイド装置１ａも基本的な構成は、上述した第一の実施形態に係る用紙ガイド装置１と同じであり、その構成は簡易である。
【００５７】
（その他の実施形態）
上述した第一及び第二の実施形態における可動ガイド３１、３２、等は、例えば着脱可能とすることができる。図１３は、フック３９を備える可動ガイド３１ｂを示す図である。第一及び第二の実施形態では、支持シャフト５０と可動ガイド３１、３２等との接続は、支持シャフト５０を貫通孔３６に貫通させることで行った。このような構成に替えて、可動ガイド部３１等の挿入方向上流側に支持シャフト５０へ引掛けるフック３９を形成してもよく、これにより可動ガイド３１等を支持シャフト５０から容易に着脱することが可能となる。なお、フック３９を有する可動ガイド３１ｂを用いる場合、支持シャフト５０の所定の位置に可動ガイド３１ｂの幅方向への移動を規制する規制部５２、５３を設けることが好ましい（図１４参照）。これにより可動ガイド３１等の用紙幅方向への移動を、より一層規制することが可能となる。この他にも、支持シャフト５０の可動ガイド３１の位置に応じた周方向に適宜凹凸部を設けたり、可動ガイド３１と接する部分のみ支持シャフト５０の径を小さくする段差部を設けたり、貫通穴３６と支持シャフト５０との間に軸受を嵌入するなどして、可動ガイド３１等の回転方向の摩擦力が小さい状態を保ちつつ幅方向への移動を制限する規制部を更に設けても良い。
【００５８】
また、例えば第一の実施形態に係る用紙ガイド装置１や第二の実施形態に係る用紙ガイド装置１ａでは、貫通孔３６を可動ガイド３１等の挿入方向上流側に設け、支持シャフト５０の挿入位置も挿入方向上流側とした。これにより、用紙２の挿入方向に沿うように可動ガイド３１等が持ち上がることになり用紙２の流れがスムーズとなる。しかし、このような構成に替えて、支持シャフト５０を挿入方向下流側に設けてもよい。この場合には、例えば支持シャフト５０の上方にカバーを設けて支持シャフト５０を覆ってもよく、その結果、用紙ガイド装置１の全体としての美観をより優れたものとすることができる。
【００５９】
更に、第一の実施形態に係る用紙ガイド装置１や第二の実施形態に係る用紙ガイド装置１ａでは、可動ガイド３１、３２等の貫通孔３６に支持シャフト５０を貫通させることで、可動ガイド３１、３２を回動可能に保持した。しかし、可動ガイド３１、３２を保持する構成は、これに限られるわけではない。図１５は、その他の実施形態に係る用紙ガイド装置を示す斜視図である。図１５に示すように、本実施形態に係る用紙ガイド装置１ｂでは、第一の実施形態に係る可動ガイド３１、３２よりも高さが高く形成された可動ガイド３１ｂ、３２ｂが上下方向に可動可能に蓋部１１に保持されている。より具体的には、蓋部１１に設けられ、可動ガイド３１ｂ、３２ｂが上下方向に可動可能であると共に用紙幅方向及び用紙挿入方向への移動を規制する収容部１２、１３に、可動ガイド３１ｂ、３２
ｂの上部が収容されている。これにより、可動ガイド３１ｂ、３２ｂは、用紙幅方向への移動及び用紙挿入方向への移動が制限され、上下方向への移動のみが許容され、上述した第一の実施形態と同じ原理により、第一状態から第二状態、又は第二状態から第一状態への移行が可能なる。
【００６０】
図１６は、用紙２をトレイ１０へ挿入した状態におけるその他の実施形態に係る用紙ガイド装置１ｂであり、可動ガイド３１ｂが第二状態、可動ガイド３２ｂが第一状態を形成している。このように、支持シャフト５０に換えて上記のような蓋部１１を用いることでも第一の実施形態に係る用紙ガイド装置１や第二の実施形態に係る用紙ガイド装置１ａと同等の機能を持たさせることができる。すなわち、可動ガイド３１、３２が本発明における第二状態を形成するための構成は、支持シャフト５０によって回動させる構成に限られるわけではなく、上記のように上下方向の動きのみを許容する構成でも実現することができる。
【００６１】
なお、上述した第一及び第二の実施形態に係る用紙ガイド装置は、用紙の搬送を必要とする様々な機器に適用可能である。そして、これらの用紙ガイド装置は、構成自体はそれほど複雑なものではないので、少ない部品点数によって構成することができ、また、装置自体の大きさをコンパクト化を図ることも容易である。したがって、例えばラミネータのように機器自体の大きさが小さく、ラミネート紙に対する用紙の少しのずれがラミネート後の状態に大きく影響し、正しい位置に用紙を挿入することが求められ、かつコンパクトであることが要求されるような機器にも好適に用いることができる。
【００６２】
以上、本発明の好適な実施形態について説明したが、本発明はこれに限定されることなく、本発明の技術的思想を逸脱することなく種々の設計変更をなしえることは勿論である。
【図面の簡単な説明】
【００６３】
【図１】第一の実施形態に係る用紙ガイド装置を示す斜視図である。
【図２】第一の実施形態に係る用紙ガイド装置をプリンタ本体に装着した状態を示す斜視図である。
【図３】第一の実施形態に係る用紙ガイドの上面図である。
【図４】図３におけるＡ―Ａ断面図である。
【図５】第一の実施形態に係る用紙ガイドの上面図である。
【図６】図５におけるＡ―Ａ断面図である。
【図７】センサと制御装置の接続状態を示す概略図である。
【図８】各センサ出力と用紙サイズとの関係を定めたテーブルの一例を示す図である。
【図９】第二の実施形態に係る用紙ガイド装置の上面図である。
【図１０】図７におけるＡ―Ａ断面図である。
【図１１】第二の実施形態に係る用紙ガイド装置の上面図である。
【図１２】図９におけるＡ―Ａ断面図である。
【図１３】フックを備えるガイドを示す図である。
【図１４】規制部を備える支持シャフトにフックを引掛けた状態を示す図である。
【図１５】その他の実施形態に係る用紙ガイド装置を示す斜視図である。
【図１６】その他の実施形態に係る用紙ガイド装置の断面図である。
【符号の説明】
【００６４】
１、１ａ・・・用紙ガイド装置
２・・・用紙
１０、１０ａ・・・トレイ
２０・・・基準ガイド
２１、２２・・・溝部
３１、３２・・・ガイド
４０・・・側板
５０・・・支持シャフト
【図１】
2008114973.tif 000003
【図２】
2008114973.tif 000004
【図３】
2008114973.tif 000005
【図４】
2008114973.tif 000006
【図５】
2008114973.tif 000007
【図６】
2008114973.tif 000008
【図７】
2008114973.tif 000009
【図８】
2008114973.tif 000010
【図９】
2008114973.tif 000011
【図１０】
2008114973.tif 000012
【図１１】
2008114973.tif 000013
【図１２】
2008114973.tif 000014
【図１３】
2008114973.tif 000015
【図１４】
2008114973.tif 000016
【図１５】
2008114973.tif 000017
【図１６】
2008114973.tif 000018